(57)【要約】    【課題】　音源ＬＳＩの演奏用曲データは、その製造段階で既に音源ＬＳＩ内蔵のＲＯＭに書き込まれるため、製品に搭載後では書き換えが不可能であり、曲数も増やす事ができない。    【解決手段】　曲データを書き込むための音源ＬＳＩ内のメモリを書き換え可能メモリ（ＲＡＭ）に置き換え、複数ある曲データを保持するために通信制御に必要とされる通信用メモリ部の空き領域、もしくは新しいメモリを用い、報知信号再生時は通信用メモリから曲データを音源ＬＳＩ内のＲＡＭにあらかじめ転送、もしくは必要に応じて転送して、報知信号として再生する。更に、曲データを保持するためのメモリを取り外し可能なメモリとすることで、登録という煩わしい作業を省き、簡単に色々な曲データに取り替えることが可能になる。    【選択図】　図１
2004120772.tif 000002
【特許請求の範囲】
【請求項１】
　無線信号の送受信を行なうアンテナと、送受信データを無線信号に変換する手段と、送受信データに符号復号処理を施す手段と、話者の声を集音して電気信号に変換する手段と、受信データを音に変換させる手段と、表示手段及びキー入力手段と、通信を制御するために必要な各種プログラム及びデータを書き込むためのメモリ手段と、通信を制御するための制御手段と、無線信号を着信した時に報知信号を発生させるための報知信号発生手段と、再生された呼び出し音の拡声手段により構成されている携帯電話機において、
　前記通信制御用のメモリ手段内に複数の報知信号データを保持する事を目的とした報知信号データ保持用メモリ手段部を有し、更に前記報知信号発生手段内に複数の報知信号データを保持するためのメモリ手段として書き換えが可能な報知信号再生データ用メモリ手段を具備し、
　あらかじめ、前記報知信号データ保持用メモリ手段部に保持されている複数の報知信号データより、前記制御手段を介して複数の報知信号データを書き換えが可能な前記報知信号再生データ用メモリ手段に転送しておき、前記報知信号発生手段において報知信号として再生することを特徴とする携帯電話機。
【請求項２】
　前記報知信号データ保持用メモリ手段部に保持されている複数の報知信号データより、必要に応じて、前記制御手段を介して使用者が選択した報知信号データを転送し、前記報知信号発生手段において報知信号として再生することを特徴とする請求項１記載の携帯電話機。
【請求項３】
　着信時において、書き換え可能な前記報知信号再生データ用メモリ手段に報知信号データが保持されていなくても、あらかじめ決められていた報知信号データを前記制御手段によって自動的に書き換えが可能な前記報知信号再生データ用メモリ手段に転送して、前記報知信号発生手段において報知信号として再生することを特徴とする請求項１記載の携帯電話機。
【請求項４】
　無線信号の送受信を行なうアンテナと、送受信データを無線信号に変換する手段と、送受信データに符号復号処理を施す手段と、話者の声を集音して電気信号に変換する手段と、受信データを音に変換させる手段と、表示手段及びキー入力手段と、通信を制御するために必要な各種プログラム及びデータを書き込むためのメモリ手段と、通信を制御するための制御手段と、無線信号を着信した時に報知信号を発生させるための報知信号発生手段と、再生された呼び出し音の拡声手段により構成されている携帯電話機で用いられる報知信号発生手段において、　
　報知信号データを再生する手段と、報知信号データを保持するための書き換えが可能であるメモリ手段によって構成され、携帯電話装置内に記憶された報知信号データが前記書き換えが可能であるメモリ手段に書き込まれることにより、報知信号として前記報知信号データを再生する手段より再生されることを特徴とする携帯電話機で用いられる報知信号発生手段。
【請求項５】
　報知信号データを音声に変換する手段と、音声に変換された報知信号の音量を調節する手段と、報知信号データを保持するための書き換え可能なメモリ手段より構成される報知信号発生手段において、
　あらかじめ、前記報知信号発生手段内のメモリ手段に報知信号データを保持していなくても、随時、前記報知信号発生手段とは異なるメモリ手段より報知信号データが転送され、前記報知信号発生手段内のメモリ手段に転送された報知信号データが前記再生する手段より再生され、前記音量調節手段において音量調節処理を施されて、報知信号として出力されることを特徴とする請求項４記載の携帯電話機で用いられる報知信号発生手段。
【請求項６】
　無線信号の送受信を行なうアンテナと、送受信データを無線信号に変換する手段と、送受信データに符号復号処理を施す手段と、話者の声を集音して電気信号に変換する手段と、受信データを音に変換させる手段と、表示手段及びキー入力手段と、通信を制御するために必要な各種プログラム及びデータを書き込むためのメモリ手段と、通信を制御するための制御手段と、無線信号を着信した時に報知信号を発生させるための報知信号発生手段と、再生された呼び出し音の拡声手段により構成されている携帯電話機において、
　複数の報知信号データを保持する事を目的とした報知信号データ保持用メモリ手段部として取り外しが可能なメモリ手段を用い、更に前記報知信号発生手段内に複数の報知信号データを保持するためのメモリ手段として書き換えが可能な報知信号再生データ用メモリ手段を具備し、
　あらかじめ、前記報知信号発生手段内の書き換え可能な報知信号再生データ用メモリ手段に報知信号データが保持されていなくても、前記報知信号データ保持用メモリ手段部に保持されている複数の報知信号データより、必要に応じて前記制御手段を介して複数の報知信号データを転送し、前記報知信号発生手段において報知信号として再生することを特徴とする携帯電話機。
【発明の詳細な説明】
【技術分野】
【０００１】
　本発明は、携帯電話機に関し、特に呼び出し音を発生させるための専用のＬＳＩを搭載した携帯電話機に関する。
【背景技術】
【０００２】
　携帯電話機は、使用者に無線信号を受信した事を知らせるために、様々な報知手段を備えている。代表的なものに、発光素子及びバックライト等の光の点滅を利用した通知方法、バイブレータ等の振動素子を利用した通知方法が挙げられるが、最も多く利用されているのが、音もしくは音声を用いた呼び出し音による通知方法である。
【０００３】
　初期の頃の携帯電話の呼び出し音は、単一音源の断続音を発生させるだけの無機質な音であった。その後、単一音源ではあるが曲の主旋律を奏でる着信メロディと呼ばれる機能に発展した。更に、着信メロディ機能を利用して、自分で譜面情報を入力することでオリジナルな呼び出し音を作曲することができる自作メロディ機能が登場した。これらの機能により、他人の携帯電話機との差別化を図る事が出来た。しかし、この着信メロディは、あくまで主旋律を奏でるだけにとどまっているため、曲として聞くことはできるが無機質な感じを無くすことはできない。
【０００４】
　そこで新たに、呼び出し音に専用の音源ＬＳＩを搭載させる方法が考えられた。この音源ＬＳＩは複数の音色を同時に演奏することが可能であるため、主旋律、伴奏、コーラスなどの各パートを各々異なる音色で奏でる事ができる。
【発明の開示】
【発明が解決しようとする課題】
【０００５】
　しかし、携帯電話機の呼び出し音に音源ＬＳＩを用いた自作メロディ機能を実現させるためには、曲データの書き換えを行なう必要が生じてしまう。
【０００６】
　通常、音源ＬＳＩには演奏に必要な曲データは、あらかじめ音源ＬＳＩ内部の読み出し専用のＲＯＭに書き込まれていることがほとんどである。そのため、ＲＯＭ内の曲データを書き換えることは不可能であるため、後で気に入った曲があっても呼び出し音として登録することはできない。また、同様の理由から登録できる曲数も制限されてしまう。
【０００７】
　これでは、最新の曲が携帯電話機の呼び出し音として使えるようになるためには、音源ＬＳＩ自体を作り換えなければならないために数ヶ月という時間が必要になり、更に、入手するためには電話機本体も買い換えなければならない。また、自作メロディ機能では曲データの書き換えを行なうことはできるが、登録という煩わしい作業が生じてしまう。メモリを自分自身で交換することも不可能である。
【課題を解決するための手段】
【０００８】
　そこで上記課題を解決するために本発明では、音源ＬＳＩ内にある曲データが書き込まれているＲＯＭをデータの書き換えが可能なＲＡＭに置き換え、複数の曲データを保持するためのメモリ手段として音源ＬＳＩ内のメモリとは異なる、別のメモリを用いることを提案する。この様な構成にすることで、音源ＬＳＩ用の曲データの書き換えが可能になる。
【０００９】
　呼び出し音の再生方法として、あらかじめ別のメモリから音源ＬＳＩに曲データを転送しておき、再生を行なう。更に、前もって曲データを転送していなくても、必要に応じて、別のメモリから音源ＬＳＩに曲データを転送して、再生を行なうことも可能になる。また、音源ＬＳＩ内のメモリに曲データが転送されていない状態で着信が起きてしまった場合は、あらかじめ決められた曲データが自動的に別のメモリから音源ＬＳＩ内のメモリに転送されて、再生を行なう。
【００１０】
　ここで述べている別メモリには、携帯電話機に必ず用いられている通信を制御するためのメモリを利用することが可能である。従って、実現が困難とされる音源ＬＳＩを用いた自作メロディ機能の実現が可能となり、新曲の登録されるまでの期間が非常に短くなる。
【００１１】
　また、曲データを保持するための別メモリの空きエリアに応じて、曲数を増やすことも可能になるので、新しい曲を登録する度に消去しなければならなかった古い曲も、メモリの空きエリア次第で残す事が可能になる。
【００１２】
　更に、曲データを保持するための別メモリを取り外し可能なメモリとすることで、登録されている曲データごとメモリを交換することが可能になる。従って、この取り外し可能メモリを購入すれば、曲データの登録という煩わしい作業を省き、短時間で簡単に誰でも曲データの交換が可能となる。
【発明の効果】
【００１３】
　以上のように本発明では、報知信号発生手段内のＲＯＭを書き換え可能なＲＡＭに置き換え、複数の報知信号データを保持しておくためのメモリ部を本報知信号発生手段内のＲＯＭではなく、別メモリとして通信制御に必要とされるメモリの空きエリア、もしくは新規メモリを用い、必要に応じてこの別メモリより報知信号データを報知信号再生手段に転送あるいはあらかじめ転送しておいて、再生させる方法を実現させた。また、報知信号再生手段内に報知信号データが転送されていなくても、あらかじめ決められた報知信号データを自動的に報知信号再生手段に転送し、再生させることが可能となった。
【００１４】
　これにより、報知信号データの追加／変更が可能になることから音源ＬＳＩを用いた自作メロディ機能の実現が可能になる。また、別メモリの空き容量次第では、保持しておける報知信号データの数を増やすことができることから、これまで登録していた報知信号データを削除しなくても、新曲の登録を行なうことが可能になる。
【００１５】
　更に、これまでの音源ＬＳＩにおける新曲の登録方法には、読み出し専用のＲＯＭ内の報知信号データの書き換えを伴なうため、音源ＬＳＩ自体を作り換える必要であった。これでは、新曲が発表されてから、その曲が呼び出し音として携帯電話に登録されるまでには、数ヶ月という時間のズレが生じてしまう。
【００１６】
　しかし、本発明を用いることで、音源ＬＳＩ自体の作り換えを行なうことなく、自作メロディ機能にて新曲の登録を行なうことが可能になり、登録までの時間が非常に早くなる。また、複数の報知信号データを保持しておくためのメモリを取り外し可能メモリとすることで、自作メロディ機能における登録するという煩わしい作業を省き、短時間で簡単に誰でも報知信号データを書き換えることが可能になる。
【発明を実施するための最良の形態】
【００１７】
　以下、図面を用いて本発明を詳細に説明する。
【００１８】
　図１は本発明の第１の実施例に関する携帯電話機の構成図を示している。
１０は送受信アンテナ、１１は送受信データと無線信号を変換する無線部、１２は送受信データを音声信号に変換する符号復号処理部、１３はマイク、１４はレシーバ、１５は携帯電話機としての動作を制御するのに必要とされるプログラム及びデータ等を保持するための通信用メモリ部、１６は本携帯電話機を制御するための通信制御部、１７は表示部、１８はキー入力部を示している。
【００１９】
　２０は無線信号着信時に報知信号を発生させるための報知信号発生部、２１は前記報知信号発生部２０で再生された報知信号を出力させるためのスピーカを示している。更に、２２は前記報知信号発生部２０の内部にあって前記通信制御部１６からの命令を受けて報知信号を再生させるための再生部、２３は報知信号再生データを保持するためのＲＡＭを、それぞれ示している。
【００２０】
　また、前記通信用メモリ部１５の内部には、前記報知信号発生部２０にて報知信号として再生されるための報知信号データを保持するための報知信号データメモリ部２４が存在している。
【００２１】
　図２は本発明の第４及び第５の実施例に関する携帯電話機の報知信号発生部２０の内部構成を詳細に示した図である。報知信号発生部２０は図１で示す様に、報知信号データの再生部２２と報知信号データ保持用のＲＡＭ２３により構成されている。
【００２２】
　再生部２２は、更に、ＲＡＭ２３内に報知信号再生データの書き込む位置を指示したり、報知信号発生部２０の諸動作の命令及び状態監視を行なうための内部レジスタを備えたデコード部３０、報知信号再生データを報知信号に変換するための変換部３１、再生された報知信号の音量を調節するための音量調節部３２により構成されている。ＲＡＭ２３には、図１で示した報知信号データメモリ部２４内に格納されている複数の報知信号データの中から、任意に選択した報知信号データを前記通信制御部１６を介して、複数曲もしくは１曲書き込むことができる。
【００２３】
　次に、再生部２２内に示されている内部制御信号について説明する。
【００２４】
　デコード部３０では、前記通信制御部１６より発せられた諸命令に応じた内部制御信号が生成される。先ず、変換部３１に対しては、報知信号の再生開始及び再生終了命令を伝えるためのオン／オフ制御信号Ｓ１００、ＲＡＭ２３に複数の報知信号再生データが登録されている時に、再生する報知信号再生データの曲番号を指定する曲番号指定信号Ｓ１０１が出力される。また、音量調節部３２に対しては、任意に設定が可能である音量設定信号Ｓ１０２が出力される。更に、ＲＡＭ２３に対しては、報知信号再生データを書き込むためのアドレス位置を指定するためのデコード値信号Ｓ１０３が出力される。
【００２５】
　次に、報知信号発生部２０が外部ＬＳＩとの間で接続されている信号線について説明する。
【００２６】
　報知信号発生部２０には、データの読み出し／書き込みを行なうために、データ信号ＤＡＴＡ、アドレス信号ＡＤＲ及び、読み出し許可信号ＲＤ、書き込み許可信号ＷＲに加えて、読み出し／書き込みを行なう対象ＬＳＩを選択するための報知信号発生部セレクト信号ＨＣＳが、前記通信制御部１６と接続されている。また、再生された報知信号は、出力信号ＯＵＴより外部に出力される。この報知信号発生部は、ここでは携帯電話機の呼び出し音の再生手段として説明を行なったが、音声を発生させることを目的とした他の製品においても、同様の方法を実施することが可能である。
【００２７】
　次に、図１、２を用いて、本発明の動作説明を行う。
【００２８】
　先ず、使用者は、携帯電話機が着信状態や通話状態になっていない待ち受け状態の時に、キー入力部１８より呼び出し音設定命令を入力することで、報知信号データの転送を行なう。通信制御部１６は、報知信号設定命令を受けると報知信号データメモリ部２４に保持されている複数の報知信号データの中から、要求されている報知信号データを報知信号発生部２０に転送し、ＲＡＭ２３に書き込む。書き込む位置は、アドレス信号ＡＤＲによって指示される。
【００２９】
　次に、無線信号着信時における報知信号の再生方法を説明する。
【００３０】
　送受信アンテナ１０が無線信号を受信した事を通信制御部１６が検出すると、通信制御部１６は報知信号発生部２０に対して報知信号再生開始命令を出力する。デコード部３０は報知信号再生開始命令を検出すると、変換部３１に対してオン／オフ制御信号Ｓ１００を用いて報知信号の再生処理の開始を通知する。この開始通知を受けて、変換部３１では、ＲＡＭ２３に保持されている報知信号再生データを読み取り、再生処理を開始する。ＲＡＭ２３より読み込まれた報知信号再生データは変換部３１にて報知信号に再生され、音量調節部３２に送られる。音量調節部３２ではデコード部３０より出力される音量設定信号Ｓ１０２の指示に従って音量調節を施され、スピーカ２１より報知信号として外部へ出力される。
【００３１】
　ここで、ＲＡＭ２３に保持されている報知信号再生データが複数ある場合には、通信制御部１６は報知信号発生部２０に対して報知信号再生開始命令の出力に合わせて曲番号指定命令も出力する。曲番号指定命令も報知信号再生開始命令と同様にデコード部３０に送られ、曲番号指定信号Ｓ１０１として変換部３１に送られる。変換部３１では、再生開始時にＲＡＭ２３内の複数ある報知信号再生データの中から、曲番号指定信号Ｓ１０１によって指定された報知信号再生データのみを読み込んで再生処理を開始する。
【００３２】
　次に、着信時における報知信号の停止方法を説明する。
【００３３】
　使用者はスピーカ２１より出力された呼び出し音を聞いて自分に対しての電話を着信した事を認識すると、使用者は呼び出し音を停止させて通話に入る。この時、通信制御部１６は呼び出し音を停止させるための操作がキー入力部１８により行われた事を検出すると、再生時と同様にＷＲ、ＨＣＳ、ＡＤＲ、ＤＡＴＡを用いてデコード部３０内のレジスタに呼び出し音再生終了命令を書き込む。デコード部３０は呼び出し音再生終了命令が書き込まれたことを検出すると、オン／オフ制御信号Ｓ１００にて変換部３１に呼び出し音の再生動作を終了することを通知する。これを受けて、変換部３１は再生動作を終了し、呼び出し音再生動作は停止する。
【００３４】
　ここでは、着信時における呼び出し音の再生方法を説明したが、呼び出し音を設定させるコマンドを実行させる時などのように、着信時以外においても呼び出し音の再生動作は用いられる。
【００３５】
　図３は本発明の第６の実施例に関する携帯電話機の構成図を示している。
【００３６】
　図３では、第１の実施例において、携帯電話機の通信用メモリ部１５内に存在していた複数の報知信号データを保持するための報知信号データメモリ部２４が、通信用メモリ部１５と別のメモリ部として存在している。これにより前記報知信号データメモリ部２４を携帯電話機本体から取り外しが可能なメモリ部とすることができる。
【００３７】
　この様な構成を取った場合、使用者はジャンル別に分けて登録した複数の取り外し可能メモリを所有することで、その日の気分や外出先等に応じて使用者自らが簡単にメモリの取り替えを行なうことができるようになる。従って、状況に応じて色々と呼び出し音を変えることが可能になる。
【００３８】
　また、あらかじめ報知信号データが登録されている取り外し可能メモリを購入することができれば、煩わしい報知信号データの登録作業を省き、簡単且つ短時間で様々な報知信号登録し、使用することが可能になる。
【図面の簡単な説明】
【００３９】
【図１】第１の実施例を示す携帯電話機の構成図である。
【図２】第４及び第５の実施例を示す報知信号発生部の構成図である。
【図３】第６の実施例を示す携帯電話機の構成図である。
【図４】従来例を示す携帯電話機の構成図である。
【符号の説明】
【００４０】
１０…送受信アンテナ
１１…無線部
１２…符号復号処理部
１３…マイク
１４…レシーバ
１５…通信用メモリ部
１６…通信制御部
１７…表示部
１８…キー入力部
２０…報知信号発生部
２１…スピーカ
２２…再生部
２３…報知信号データ保持のための書き換え可能なメモリ部（ＲＡＭ）
２４…報知信号データメモリ部
２５…報知信号データ保持のための読み出し専用メモリ部（ＲＯＭ）
３０…デコード部
３１…変換部
３２…音量調節部
Ｓ１００…オン／オフ制御信号
Ｓ１０１…曲番号指定信号
Ｓ１０２…音量設定信号
Ｓ１０３…デコード値信号
【図１】
2004120772.tif 000003
【図２】
2004120772.tif 000004
【図３】
2004120772.tif 000005
【図４】
2004120772.tif 000006